(57)【要約】  本発明は、細長いフィルターメンブレンを保持するための多数のカートリッジを備えたメンブレンホルダーであって、前記各カートリッジが実質的にＶ字形断面を有し、前記断面に対して直交する長手方向において相互にヒンジ結合されているようなメンブレンホルダーに関する。さらに本発明は、それぞれが実質的にＶ字形の断面を有し、前記断面に対して直交する長手方向に相互にヒンジ結合された多数のカートリッジを準備するステップと、前記各カートリッジにフィルターメンブレンを充填するステップと、前記各カートリッジを円筒形状に丸めるステップと、前記丸めたカートリッジを円筒管に圧入するステップとを含むフィルター製造方法に関する。
2011502748.tif 000002
【特許請求の範囲】
【請求項１】
細長いフィルターメンブレンを保持するための多数のカートリッジを備えたメンブレンホルダーであって、前記各カートリッジが実質的にＶ字形断面を有するものにおいて、前記各カートリッジが、前記断面に対して直交する長手方向において相互にヒンジ結合されていることを特徴とするメンブレンホルダー。
【請求項２】
前記各カートリッジが細長い形状であることを特徴とする請求項１に記載のメンブレンホルダー。
【請求項３】
前記各カートリッジの長さが、前記細長いフィルターメンブレンの長さと実質的に同じであることを特徴とする請求項２に記載のメンブレンホルダー。
【請求項４】
前記各カートリッジが、抹角楔形状断面を備えることを特徴とする先行する請求項のいずれか一項に記載のメンブレンホルダー。
【請求項５】
前記各カートリッジが、その内部に前記フィルターメンブレンを封入すべく、前記各カートリッジの開放側部を閉鎖するための閉鎖要素を備えることを特徴とする先行する請求項のいずれか一項に記載のメンブレンホルダー。
【請求項６】
前記閉鎖要素が、前記各カートリッジに跨って延在しかつ前記各カートリッジを相互にヒンジ結合するフィルムであることを特徴とする請求項５に記載のメンブレンホルダー。
【請求項７】
前記閉鎖要素が前記カートリッジに配置されたブラケットであることを特徴とする請求項５に記載のメンブレンホルダー。
【請求項８】
それぞれが実質的にＶ字形の断面を有し、前記断面に対して直交する長手方向に相互にヒンジ結合された多数のカートリッジを準備するステップと、
前記各カートリッジにフィルターメンブレンを充填するステップと、
前記各カートリッジを円筒形状に丸めるステップと、
前記丸められたカートリッジを円筒管に圧入するステップと、
を含む、フィルター製造方法。
【請求項９】
前記フィルターメンブレンが前記丸めるステップ中に逸脱するのを阻止するために、前記各カートリッジの開放側部を閉鎖するステップをさらに含む、請求項８に記載のフィルター製造方法。
【請求項１０】
前記各カートリッジが、前記各カートリッジに跨って配設されたフィルムによって相互にヒンジ結合され、かつ、前記フィルムによって前記各カートリッジの前記開放側部が閉鎖される、請求項９に記載のフィルター製造方法。
【請求項１１】
前記フィルムが融着によって配設される、請求項１０に記載のフィルター製造方法。
【請求項１２】
円筒状ガイドを準備するステップであって、前記カートリッジが前記円筒状ガイドへ連続的に送り込まれかつ円筒を形成するため壁に沿って丸められ得るような入口開口部を長手方向に有する円筒状ガイドを準備するステップをさらに含む、請求項８〜１１のいずれか一項に記載のフィルター製造方法。
【発明の詳細な説明】
【技術分野】
【０００１】
本発明は、多数の細長いフィルター要素が管の中へ通され、その後、フィルターメンブレンが合成樹脂の中で成形されるような、多数の細長いフィルター要素を一体的に保持するメンブレンホルダーに関する。
【背景技術】
【０００２】
本出願人の先行出願であるＥＰ−Ａ−１  ５６０  ６３９は、各カートリッジに細長いフィルターメンブレンが充填され、その後、これらのカートリッジが１個ずつフィルター筐体に押し込まれるシステムについて記載している。このカートリッジは、押し込まれた後で位置を変更不可能でありかつ他のカートリッジの挿入を妨げないように、フィルター筐体の内側に配置されたガイドレールに押し付けられる。
【０００３】
この従来技術のシステムはフィルター製造の自動化に利点がある。しかし、フィルター筐体の中への１個ずつの挿入は適切な精度を必要とする。
【発明の概要】
【０００４】
したがって、本発明の目的は、フィルター製造の自動化をさらに簡略化し得るメンブレンホルダーを提供することである。
【０００５】
上記目的は、細長いフィルターメンブレンを保持するための多数のカートリッジを備えたメンブレンホルダーであって、前記各カートリッジが実質的にＶ字形断面を有し、前記断面に対して直交する長手方向において相互にヒンジ結合されているようなメンブレンホルダーによって実現される。
【０００６】
各カートリッジの相対位置はカートリッジの相互間のヒンジ結合によって決定され、それによって、フィルター製造のため必要とされる単体カートリッジ群を、全体として一体的に取り扱うことができる。さらに、Ｖ字形断面とヒンジ結合により、カートリッジ群を丸めて、１回の動作でフィルター筐体内に圧入可能となるような円筒状にすることが可能となる。
【０００７】
一実施形態では、各カートリッジは細長い。この結果、概して柔軟性のあるフィルターメンブレンは、容易に支持され得る。一方、フィルターメンブレンが適度な剛性を有する場合には、各カートリッジは、フィルターメンブレンの束を一体として適切に保持するために、より短い長さだけを有することも可能である。しかし、各カートリッジの長さは細長いフィルターメンブレンの長さと実質的に同じであることが好適である。その結果、フィルターメンブレンが適切に支持され、フィルターメンブレンへの損傷の危険が制限される。
【０００８】
本発明によるメンブレンホルダーのさらに別の実施形態では、各カートリッジが、抹角楔形状断面（truncated wedge-shaped cross-section）を備えている。
【０００９】
その結果、円筒を形成すべく丸められたカートリッジの中心に、例えば管の通路として使用可能な、円筒状空洞が形成される。
【００１０】
本発明によるメンブレンホルダーのさらに好ましい実施形態では、各カートリッジは、フィルターメンブレンをカートリッジの中に封入するために、各カートリッジの開放側部を閉じる閉鎖要素を備えている。閉鎖要素は、例えば、カートリッジ群が丸められる際に、フィルターメンブレンがカートリッジから落下するのを阻止する。
【００１１】
閉鎖要素は、好ましくは、各カートリッジに跨って延在し、各カートリッジを相互にヒンジ結合するフィルムである。フィルムの利点は、フィルターの中の液体流を極度に阻害することがなく、かつ、フィルターメンブレンの良好な濾過作用を妨げない点にある。さらに、フィルムは製造中に容易に取り扱うことができ、かつ、例えば、融着によってカートリッジに配設され得る要素である。
【００１２】
別の選択肢は、閉鎖要素が各カートリッジに配置されたブラケットである。
【００１３】
本発明は、フィルターを製造する方法であって、
それぞれが実質的にＶ字形の断面を有し、前記断面に対して直交する長手方向に相互にヒンジ結合された多数のカートリッジを準備するステップと、
前記各カートリッジにフィルターメンブレンを充填するステップと、
前記各カートリッジを円筒形状に丸めるステップと、
前記丸められたカートリッジを円筒管に圧入するステップと、
を含む、方法をも包含する。
【００１４】
本発明による方法の好ましい実施形態は、前記フィルターメンブレンが前記丸めるステップ中に落下するのを阻止するために、前記各カートリッジの開放側部を閉じるステップをさらに含む。
【００１５】
特定の実施形態では、各カートリッジは、それらに跨って配設されたフィルムによって互いにヒンジ結合され、かつ、該フィルムによって、前記各カートリッジの開放側部が閉鎖される。Ｖ字形断面を有する単体カートリッジ群は、丸められる前にフィルムによって互いにヒンジ結合され、その形態で使用され得る。
【００１６】
本発明による方法の別の実施形態は、各カートリッジが円筒状ガイドへ連続的に送り込まれ、円筒を形成するため壁に沿って丸められ得るような、入口開口部を縦方向に有する円筒状ガイドを設けるステップを備える。この方法を使用すると、閉鎖要素の使用を不要にすることができる。閉鎖は、実際には、カートリッジが接触して配置される円筒状ガイドによって行われる。カートリッジが円筒を形成するため丸められるとき、カートリッジは円筒状ガイドから管へそのまま押し込まれ得る。
【００１７】
本発明のこれらの特徴および他の特徴は添付図面を参照してさらに明らかにされる。
【図面の簡単な説明】
【００１８】
【図１】本発明によるメンブレンホルダーの第１の実施形態の断面図である。
【図２】図１のメンブレンホルダーが丸められる過程を示す図である。
【図３】本発明によるメンブレンホルダーの第２の実施形態およびそのメンブレンホルダーが円筒形状に丸められる過程を示す図である。
【図４Ａ】図１と同様に丸められたメンブレンホルダーを示す図である。
【図４Ｂ】図１と同様に丸められたメンブレンホルダーを示す図である。
【発明を実施するための形態】
【００１９】
図１は、展開された状態のメンブレンホルダー１を示している。メンブレンホルダー１は、実質的にＶ字形の断面を有する多数のカートリッジ２により構成されている。下側部３は抹角形状をなすので、丸められた状態で中心通路が形成される。フィルターメンブレン４が各カートリッジ２の中に収容される。
【００２０】
その後に、フィルターメンブレン４の落下を防止するために、フィルム５が各カートリッジ２の上に跨って配設される。
【００２１】
各カートリッジ２は、直線状ヒンジ手段を用いて、または、配設されたフィルム５を用いて符号６の位置で互いにヒンジ結合される。
【００２２】
図２では、図１によるのと同じメンブレンホルダー１が丸められる。各カートリッジ２の抹角された下側部３によって、円筒を形成すべく丸められたカートリッジ２の中に中心通路７が形成される。
【００２３】
図３はメンブレンホルダー１０の第２実施形態を示している。このメンブレンホルダー１０は、前記同様に、実質的にＶ字形の断面を有する多数のカートリッジ２を備えている。それぞれのカートリッジ２は直線状ヒンジ手段１１で互いにヒンジ結合されている。
【００２４】
このメンブレンホルダー１０を円筒形状に巻くために設けられているのは、縦方向に沿って延在し、カートリッジ２の通過を可能にさせる入口開口部１３を有する円筒状ガイドプレート１２である。その後に、カートリッジは、入口開口部１３を介して、カートリッジ２がガイドプレート１２の内壁に沿うようになり、よって、円筒形状に巻かれ得るような円筒状ガイドプレート１２の中に運ばれる。
【００２５】
図４Ａはさらに、丸められた状態でのメンブレンホルダー１の断面図を示している。フィルム５は、この場合、フィルターメンブレン４がカートリッジ２から落下しないことを確実にする。図４Ａに示されるような丸められた状態において、メンブレンホルダー１は、図４Ｂに示されるように、円筒状フィルター筐体１４の中に圧入することができる。その後に、フィルターは、メンブレンフィルターを提供するため、フィルター筐体１４の２つの外端部に合成樹脂プラグおよびさらなる付属品を設けることによってさらに仕上げられることができる。
【図１】
2011502748.tif 000003
【図２】
2011502748.tif 000004
【図３】
2011502748.tif 000005
【図４Ａ】
2011502748.tif 000006
【図４Ｂ】
2011502748.tif 000007
【国際調査報告】
2011502748.tif 000008
2011502748.tif 000009
2011502748.tif 000010